(57)【要約】【課題】部品の組み立て性に優れて確実に強固な固定ができることを目的とする。【解決手段】オリフィス１０を遠心ファン７の回転軸に対して回転させ、本体１に設けた複数の嵌合部２５ａ、２５ｂ、２５ｃにオリフィス１０の嵌合部２６ａ、２６ｂ、２６ｃを嵌合させ、本体１の嵌合部２５ａ、２５ｂ、２５ｃのいずれかに回転規制リブ３２を設け、オリフィス１０と本体１をオリフィス固定ネジ２７にて固定するという構成にしたことにより、本体１の嵌合部２５ａ、２５ｂ、２５ｃにオリフィス１０の嵌合部２６ａ、２６ｂ、２６ｃを回転させて挿入しオリフィス固定ネジ２７にて両者を固定するので、組み立て性に優れて確実に強固な固定ができるサーキュレーターを得られる。【選択図】図５
2014173829.tif 000002
【特許請求の範囲】
【請求項１】
天井に円筒状で下方にフランジを有した本体を埋め込み、前記本体の天面には遠心ファンと前記遠心ファンを回転させるための電動機と前記電動機を保持する天板とを設け、前記本体の内部が送風風路として利用され、前記本体の下面に吸込口と吹出口を有するグリルを備え、前記グリルを介して室内の空気を本体の内部へ吸い込み遠心ファンにより前記グリルから前記室内へ吹き出し、前記遠心ファンの下方に嵌合部を設けたオリフィスを設け、前記オリフィスを前記遠心ファンの回転軸に対して回転させ、前記本体に設けた複数の嵌合部に前記オリフィスの嵌合部を嵌合させ、前記本体の嵌合部のいずれかに回転規制リブを設け、前記オリフィスと前記本体をオリフィス固定ネジにて固定することを特徴とするサーキュレーター。
【請求項２】
本体の嵌合部に誤取付防止リブを設けたことを特徴とする請求項１に記載のサーキュレーター。
【請求項３】
本体の嵌合部の前方に傾斜ガイドを有したことを特徴とする請求項１または２に記載のサーキュレーター。
【請求項４】
オリフィスの一部に前記オリフィスと一体で設けた回路ケース部を設け、前記回路ケースの内部に有したスイッチ制御回路を保護カバーにて覆い前記オリフィスに固定した状態で、オリフィス固定ネジにて本体に共締めしたことを特徴とする請求項１〜３のいずれかに記載のサーキュレーター。
【発明の詳細な説明】
【技術分野】
【０００１】
本発明は、本体内に送風装置を有し、室内の空気を本体内に吸い込み、天井面に設けたグリルを介して室内へ送風し、室内空気を循環させるサーキュレーターに関するものである。
【背景技術】
【０００２】
従来、この種のサーキュレーターとほぼ同等の構成である内部に送風装置を有した機器としては、遠心送風羽根を有した天井埋込形換気扇が知られている（例えば、特許文献１参照）。
【０００３】
以下、その天井埋込形換気扇について図１２を参照しながら説明する。
【０００４】
図１２に示すように、天井裏に取り付けられ、側面に屋外と連通するダクトと接続するアダプター１０１と下面に室内側に臨む吸込口を有した箱状のフレーム１０２と、フレーム１０２の内部には、下面に吸込口を有し側面にアダプター１０１と連通する吐出口を有したスクロール状のケーシング１０３と、ケーシング１０３の内部に配設され、室内の空気をダクトを介して屋外へ排出するための送風を行う遠心送風羽根１０４と、遠心送風羽根１０４を回転駆動する電動機１０５とを備え、ケーシング１０３は下面に遠心送風羽根１０４の外径よりも大きい径の開口１０６を備え、この開口１０６の下面に遠心送風羽根１０４の外径よりも小さい径の吸込口１０７を形成したオリフィス１０８を設け、オリフィス１０８の外周部の４箇所に係止片１０９を設け、ケーシング１０３の係止片１０９に対応する位置に係止片１０９に係合する係合部１１０を設け、オリフィス１０８を上方に押し付けて係止片１０９を係合部１１０に押し込み、オリフィス１０８をケーシング１０３に取り付ける構成としたものが知られていた。
【先行技術文献】
【特許文献】
【０００５】
【特許文献１】特開２００９−１８０４４５号公報
【発明の概要】
【発明が解決しようとする課題】
【０００６】
このような従来のサーキュレーターにおいては、嵌合させる部品のバラツキによりオリフィスを本体へ固定したときにがたつきや固定強度が変化するという課題を有していた。
【０００７】
そこで本発明は、上記従来の課題を解決するものであり、組み立て性に優れて確実に強固な固定ができるサーキュレーターを提供することを目的とする。
【課題を解決するための手段】
【０００８】
そして、この目的を達成するために、本発明は、天井に円筒状で下方にフランジを有した本体を埋め込み、前記本体の天面には遠心ファンと前記遠心ファンを回転させるための電動機と前記電動機を保持する天板とを設け、前記本体の内部が送風風路として利用され、前記本体の下面に吸込口と吹出口を有するグリルを備え、前記グリルを介して室内の空気を本体の内部へ吸い込み遠心ファンにより前記グリルから前記室内へ吹き出し、前記遠心ファンの下方に嵌合部を設けたオリフィスを設け、前記オリフィスを前記遠心ファンの回転軸に対して回転させ、前記本体に設けた複数の嵌合部に前記オリフィスの嵌合部を嵌合させ、前記本体の嵌合部のいずれかに回転規制リブを設け、前記オリフィスと前記本体をオリフィス固定ネジにて固定したものであり、これにより所期の目的を達成するものである。
【発明の効果】
【０００９】
本発明によれば、天井に円筒状で下方にフランジを有した本体を埋め込み、前記本体の天面には遠心ファンと前記遠心ファンを回転させるための電動機と前記電動機を保持する天板とを設け、前記本体の内部が送風風路として利用され、前記本体の下面に吸込口と吹出口を有するグリルを備え、前記グリルを介して室内の空気を本体の内部へ吸い込み遠心ファンにより前記グリルから前記室内へ吹き出し、前記遠心ファンの下方に嵌合部を設けたオリフィスを設け、前記オリフィスを前記遠心ファンの回転軸に対して回転させ、前記本体に設けた複数の嵌合部に前記オリフィスの嵌合部を嵌合させ、前記本体の嵌合部のいずれかに回転規制リブを設け、前記オリフィスと前記本体をオリフィス固定ネジにて固定するという構成にしたことにより、本体の嵌合部にオリフィスの嵌合部を回転させて挿入しオリフィス固定ネジにて両者を固定することとなるので、組み立て性に優れて確実に強固な固定ができるという効果を得ることができる。
【図面の簡単な説明】
【００１０】
【図１】本発明の実施の形態１のイオン発生装置を天井に取付けた状態の側面断面図
【図２】同イオン発生装置の取付金具の構成を示した拡大図
【図３】同イオン発生装置の平面図
【図４】同イオン発生装置を天井に取付けた状態の正面断面図
【図５】同イオン発生装置の本体内部を示した底面からの斜視図
【図６】同イオン発生装置のオリフィスを示した斜視図
【図７】同イオン発生装置の本体の嵌合部２５ａを示した拡大図
【図８】同イオン発生装置の本体の嵌合部２５ｂを示した拡大図
【図９】同イオン発生装置のスイッチ制御回路等の構成を示した分解斜視図
【図１０】同イオン発生装置の天井へ取付ける際の取付け状態を示す側面断面図
【図１１】同イオン発生装置の速結端子と電動機との関係を示す側面断面図
【図１２】従来の天井埋込形換気扇を示す分解斜視図
【発明を実施するための形態】
【００１１】
本発明の請求項１記載のサーキュレーターは、天井に円筒状で下方にフランジを有した本体を埋め込み、前記本体の天面には遠心ファンと前記遠心ファンを回転させるための電動機と前記電動機を保持する天板とを設け、前記本体の内部が送風風路として利用され、前記本体の下面に吸込口と吹出口を有するグリルを備え、前記グリルを介して室内の空気を本体の内部へ吸い込み遠心ファンにより前記グリルから前記室内へ吹き出し、前記遠心ファンの下方に嵌合部を設けたオリフィスを設け、前記オリフィスを前記遠心ファンの回転軸に対して回転させ、前記本体に設けた複数の嵌合部に前記オリフィスの嵌合部を嵌合させ、前記本体の嵌合部のいずれかに回転規制リブを設け、前記オリフィスと前記本体をオリフィス固定ネジにて固定するという構成を有する。
【００１２】
これにより、本体の嵌合部にオリフィスの嵌合部を回転させて挿入し、オリフィス固定ネジにて両者を固定することとなるので、組み立て性に優れて確実に強固な固定ができるという効果を奏する。
【００１３】
また、本体の嵌合部に誤取付防止リブを設けた構成にしてもよい。
【００１４】
これにより、組み立て時にオリフィスの嵌合部が誤取付防止リブに接触するために本体の嵌合部以外に挿入されないこととなるので、組み立て時の誤取り付けを防止することができるという効果を奏する。
【００１５】
また、本体の嵌合部の前方に傾斜ガイドを有した構成にしてもよい。
【００１６】
これにより、オリフィスの嵌合部を傾斜ガイドに沿って回転させ本体の嵌合部に挿入させることとなるので、組み立て性に優れ安定した作業ができるという効果を奏する。
【００１７】
また、オリフィスの一部に前記オリフィスと一体で設けた回路ケース部を設け、前記回路ケースの内部に有したスイッチ制御回路を保護カバーにて覆い前記オリフィスに固定した状態で、オリフィス固定ネジにて本体に共締めした構成にしてもよい。
【００１８】
これにより、オリフィス固定ネジで保護カバーを通じ、オリフィスを介して本体へ固定することとなるので、組み立て性に優れ、かつ、保護カバーのがたつきがなく品位を向上させることができるという効果を奏する。
【００１９】
以下、本発明の実施の形態について図面を参照しながら説明する。
【００２０】
（実施の形態１）
図１〜１１に示すように、天井１００に本体１を埋め込み、空気を循環させるサーキュレーターに係わるものであり、本実施の形態では、付加機能としてイオンを発生させる機能を有しており、本体から室内へイオンを発生させるイオン発生装置に係わるものである。
【００２１】
図１に示すように、本体１は円筒状を有しており、下方にはフランジ２を有し、フランジ２の下方には吸込み口３と吹出し口４を有するグリル５を設け、本体１の上方の天面６には、遠心送風手段である遠心ファン７と遠心ファン７を回転させる電動機８を有し、電動機８を保持する天板９を天面６に設けたうえ、天板９の下方には電動機８を接続する遠心ファン７を組み込んで構成されている。
【００２２】
なお、電動機８は、直流（ＤＣ）でも交流（ＡＣ）でもどちらでも良い。
【００２３】
また、風路構造は、吸込み口３の全周から室内の空気を吸い込み、オリフィス１０にかけて筒状の経路１１ａを通って遠心ファン７に吸い込まれ、遠心ファン７の全周に吹出し、オリフィス部の外側にある筒状の経路１１ｂを通り、グリル５の吹出し口４の全周から室内へ排出される構造としている。
【００２４】
また、図２に示すように、本体１を天井１００へ固定するために、本体１の左右すなわち側面には取付金具１２を設け、取付金具１２は板状の固定金具１３と根底金具１４の二つの部品で構成され、根底金具１４は固定金具１３と接触する接触面を中心に天井１００面と根底金具１４が平行となるように回転でき、本体１の側面にあいた穴１５と固定金具１３にあいた長穴１６を貫通する金具専用ネジ１７の進む方向の先端には、固定ナット１８が設けられている。
【００２５】
金具専用ネジ１７を回転させることで、本体１の側面に設けた天井１００側を凹状としたコの字形状の壁１９によって、回転方向の動きを規制された固定ナット１８が上下に移動し、取付金具１２を下方に移動させて、フランジ２と取付金具１２とで天井１００を挟みこんで本体１を天井１００に固定する（図４参照）こととなる。
【００２６】
また、図３に示すように、フランジ２に複数個設けてある取付け穴２０にネジを差し込んで、天井１００に直接締め付けることで、天井１００に取付けることも可能である。
【００２７】
なお、取付け穴２０は、通常使用において、取付け穴２０からの風漏れを防ぐために穴を塞いだ構造としているが、薄肉で塞がっているため、取付け穴２０にネジを差し込む際、容易に貫通させて取付けることができる。
【００２８】
また、図４に示すように、天板９の上方に、電動機８およびイオンの発生を行う静電霧化手段２１ａおよび静電霧化手段２１ｂをコントロールする制御基板（図示せず）を内部に納める制御回路ケース２２を有し、制御回路ケースカバー２３によって制御回路ケース２２を覆う構成としている。
【００２９】
また、図５に示すように、オリフィス１０は、本体１の内部に沿って矢印方向２４（すなわち本体１の下面から見て右回り）に回転させて取付け、本体１のほぼ等間隔で３箇所の嵌合部２５ａ、２５ｂ、２５ｃとオリフィスの３箇所の嵌合部２６ａ、２６ｂ、２６ｃどうしと１箇所のねじ固定部をオリフィス固定ネジ２７で固定する構造としている。
【００３０】
図６にオリフィス１０の斜視図を示す。
【００３１】
オリフィス１０の筒状の経路１１ａ（図１）と経路１１ｂ（図１）の境界となる筒状部２８から３箇所の嵌合部２６ａ、２６ｂ、２６ｃがオリフィス１０から外周方向へ突出しており、板状の形状となっている。
【００３２】
なお、オリフィス１０の嵌合部２６ａ、２６ｂ、２６ｃには、外側にグリル（図１）方向に突出したリブである嵌合調整用リブ２９がそれぞれに設けられており、オリフィス１０の本体１への固定時に本体１とオリフィス１０とのがたつきを抑えるため、嵌合調整用リブ２９を肉盛りするすなわち更にグリル（図１）方向に突出させることにより、容易に嵌合調整できる構造としている。
【００３３】
また、図５に示すように、本体１の内部形状としては、本体１のオリフィス固定ネジ２７を固定するねじ固定部と対向する位置に、嵌合部２５ａがあり、さらに２箇所の嵌合部２５ｂ、２５ｃを設ける。
【００３４】
図７に示すように、本体１の嵌合部２５ａはオリフィス１０（図６）の嵌合部２６ａ（図６）を挟んだ上下位置に誤取付防止リブ３０ａとオリフィス１０の嵌合部２６ａのガイドとなる傾斜ガイド３１ａを有し、さらに、オリフィス１０の嵌合部２６ａの位置決め用として、回転規制リブ３２から構成されている。
【００３５】
この構成により、オリフィス１０を回転させて本体１へ取り付ける際、オリフィス１０の嵌合部２６ａが傾斜ガイド３１ａに接触して回転され回転規制リブ３２に接触して、オリフィス１０と本体１との位置関係が決まる。
【００３６】
また、図８に嵌合部２５ｂの拡大斜視図を示す。
【００３７】
嵌合部２５ｂの手前すなわちオリフィス１０が回転して嵌合部２５ｂに嵌合する経路の前方には、本体１（図１）の天面６（図１）から嵌合部２５ｂに向かって傾斜させた傾斜ガイド３１ｂを有し、オリフィス１０の嵌合部２６ｂに対して下方となる本体１側に誤取付防止リブ３０ｂを有している。
【００３８】
なお、嵌合部２６ｃも同様に、傾斜ガイド（図示せず）を有し、オリフィス１０の嵌合部２６ｃに対して下方となる本体１側に誤取付防止リブ（図示せず）を有している。
【００３９】
上記構成とすることにより、オリフィス１０の組み立て性に優れ、かつ誤取り付けを防ぎ、部品のがたつきを防いだ取り付けが可能となる。
【００４０】
また、図９に示すように、オリフィス１０には、スイッチ制御回路３３を固定する回路ケース部３４がオリフィス１０と一体に形成されており、回路ケース部３４にスイッチ制御回路３３を係合させ固定する。
【００４１】
さらに、スイッチ制御回路３３にユーザーが操作する部分として、運転切替スイッチ３５と調光スイッチ３６を取り付けて、保護カバー３７をオリフィス１０に上方から係合させ取り付けることにより、スイッチ制御回路３３を保護カバー３７により保護し、オリフィス固定ネジ２７により、保護カバー３７とオリフィス１０を本体１とを共締めして、正規の位置に固定する構造としている。
【００４２】
また、スイッチ制御回路３３には、本体１の動作時に点灯する運転動作ランプ３８を備えている。
【００４３】
なお、運転切替スイッチ３５は本体１の動作または停止を切り替えることができ、一方、調光スイッチ３６は運転動作ランプ３８の光強度を調節することができる。
【００４４】
さらに、保護カバー３７の上方には侵入防止リブ３９を有しており、例えば運転切替スイッチ３５または調光スイッチ３６を指で操作する際、誤って遠心ファン７へ指が接触することを防ぐことができる。
【００４５】
また、グリル５を本体１へ取り付けることにより、侵入防止リブ３９がグリル５の内面に近接し、運転切替スイッチ３５と調光スイッチ３６を風路から隔離することとなるため、吸込み口３から侵入した埃や異物が、運転切替スイッチ３５または調光スイッチ３６の隙間からスイッチ制御回路３３へ侵入することを防ぐ構造となる。
【００４６】
また、図１に示すように、保護カバー３７には運転動作ランプ３８の光が通る光筒４０を設け、グリル５へ運転動作ランプ３８の光を透過させ、グリル５の表面で光を浮び上がらせている。
【００４７】
加えて、運転動作ランプ３８の光が通過するグリル５の表面に、一例として丸型の室内側へ凹状の凹み４１を備えた構造としたことで、運転動作ランプ３８上のグリル５の表面が薄くなるため、運転動作ランプ３８の光の透過性が増し、より鮮明にランプが浮かび上がる仕様となっており、明るいと感じるユーザーに対しては、調光スイッチ３６を用いて光の強度を調整することができる。
【００４８】
図１０に示すように、制御回路ケース２２および制御回路ケースカバー２３はそれぞれ長方形状であり、かつ、円筒状である本体１の直径値よりも小さい大きさとし、また、長手方向が本体１の中心から片側に寄せて配置する構成としているため、本体１を施工する際に天井１００の丸穴に斜めに挿入すれば、制御回路ケース２２及び制御回路ケースカバー２３を容易に挿入することができる。
【００４９】
また、図１１に示すように、制御回路ケース２２に制御基板と電源線４２を接続する速結端子４３を設け、かつ、速結端子４３には電源線４２を着脱するためのリリースボタン４４を有しており、リリースボタン４４を下方に向けて設けたという構成をしている。
【００５０】
これにより、例えば人差指で下方の空間からリリースボタン４４を押すことになるので、速結端子４３の挿入穴４５へ電源線４２を挿入または抜去する際の作業性を向上させることができる。
【００５１】
また、速結端子４３を下方斜めに向けて傾けた、という構成にしてもよい。
【００５２】
これにより、天井裏で発生した漏水、結露水が電源線４２を伝わってきた際、漏水、結露水が速結端子４３と同様に下方斜めに傾いた電源線４２を伝って、水が下方斜めに向かって速結端子４３から離れて電源線４２に沿って流れることになるため、挿入穴４５へ水は浸入せずトラッキング現象を防ぐことができ、安全性を向上させることができる。
【００５３】
また、速結端子４３の挿入穴４５の上方にある制御回路ケースカバー２３にひさし４６を設けて覆う構成にしてもよい。
【００５４】
これにより、天井裏で発生した漏水、結露水が制御回路ケースカバー２３に落ちた際、漏水、結露水がひさし４６の上から前方に流れ落ちるため、挿入穴４５に流れ込むことがなく、また、速結端子４３がひさし４６により押し下げられ、電源線４２の最下部が挿入穴４５より低くなり、漏水、結露水が電源線４２を伝ってきた際、水が下方斜めに向かって速結端子４３から離れて電源線４２に沿って流れることとなるため、挿入穴４５に水は浸入せず、トラッキング現象を防ぐことができ安全性を向上させることができる。
【００５５】
また、制御回路ケースカバー２３にリブ４７を設けた構成にすることにより、速結端子４３がリブ４７に引っかかることとなるので、電源線４２を速結端子４３に挿入した状態で引っ張られた場合でも、制御回路ケース２２内から速結端子４３が抜けることを防止することができる。
【産業上の利用可能性】
【００５６】
本発明にかかるサーキュレーターは、天井に取付けて広範囲へ空気の送風を可能とするものであり、部品の組み立て作業性が良く、強固に固定することができるので、本体内に送風装置を有したサーキュレーターや天井埋込形換気扇等として有効である。
【符号の説明】
【００５７】
１      本体
２      フランジ
３      吸込み口
４      吹出し口
５      グリル
６      天面
７      遠心ファン
８      電動機
９      天板
１０    オリフィス
１１ａ  経路
１１ｂ  経路
１２    取付金具
１３    固定金具
１４    根底金具
１５    穴
１６    長穴
１７    金具専用ネジ
１８    固定ナット
１９    壁
２０    取付け穴
２１ａ  静電霧化手段
２１ｂ  静電霧化手段
２２    制御回路ケース
２３    制御回路ケースカバー
２４    矢印方向
２５ａ  嵌合部
２５ｂ  嵌合部
２５ｃ  嵌合部
２６ａ  嵌合部
２６ｂ  嵌合部
２６ｃ  嵌合部
２７    オリフィス固定ネジ
２８    筒状部
２９    嵌合調整用リブ
３０ａ  誤取付防止リブ
３０ｂ  誤取付防止リブ
３１ａ  傾斜ガイド
３１ｂ  傾斜ガイド
３２    回転規制リブ
３３    スイッチ制御回路
３４    回路ケース部
３５    運転切替スイッチ
３６    調光スイッチ
３７    保護カバー
３８    運転動作ランプ
３９    侵入防止リブ
４０    光筒
４１    凹み
４２    電源線
４３    速結端子
４４    リリースボタン
４５    挿入穴
４６    ひさし
４７    リブ
１００  天井
【図１】
2014173829.tif 000003
【図２】
2014173829.tif 000004
【図３】
2014173829.tif 000005
【図４】
2014173829.tif 000006
【図５】
2014173829.tif 000007
【図６】
2014173829.tif 000008
【図７】
2014173829.tif 000009
【図８】
2014173829.tif 000010
【図９】
2014173829.tif 000011
【図１０】
2014173829.tif 000012
【図１１】
2014173829.tif 000013
【図１２】
2014173829.tif 000014